【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
データ信号を発生するデータ送信手段と、電子時計のコイルを用いて前記データ送信手段からのデータ信号を受信する受信データ受信手段を有する電子時計より構成される電子時計のデータ受信システムにおいて、前記電子時計はタイミング信号を発生するタイミング信号発生手段を有し、さらに前記データ送信手段は前記コイルより出力されるタイミング信号を受信するタイミング信号受信手段を設け、前記データ送信手段は受信したタイミング信号に同期してデータ信号を送信し、前記データ受信手段は、前記データ送信手段から送信されるタイミングのみデータ受信を間欠的に行なうことを特徴とする電子時計のデータ送受信システム。
【請求項２】
前記データ受信手段は、データ受信時に、コイルの少なくとも一端をハイインピーダンス状態にすることを特徴とする請求項１記載の電子時計のデータ送受信システム。
【請求項３】
前記データ受信手段は、第一のデータ受信タイミングに前記データ送信手段からのデータ出力がないことが確認されると以降のデータ受信を中止することを特徴とする請求項１記載の電子時計のデータ送受信システム。
【請求項４】
前記データ受信タイミングでのデータ受信は間欠的に行われ、かつその受信期間は受信間隔に比べて短いことを特徴とする請求項１記載の電子時計のデータ送受信システム。
【請求項５】
前記データ送信手段から発生するデータ信号は交流の磁気信号を振幅変調することを特徴とする請求項１記載の電子時計のデータ送受信システム。
【請求項６】
前記データ送信手段から発生するデータ信号は交流の磁気信号を位相変調することを特徴とする請求項１記載の電子時計のデータ送受信システム。
【請求項７】
前記データ送信手段の間欠的に行われるデータ送信の周波数は３２７６８Ｈｚの整数分の１の値であることを特徴とする請求項４記載の電子時計のデータ送受信システム。
【請求項８】
前記データ受信手段は第一の受信タイミングにおいては、前記交流磁界の予め定められた第１の位相位置と前記交流磁界の予め定められた第２の位相位置との双方で受信動作を行うことを特徴とする請求項５ないし６記載の電子時計のデータ送受信システム。
【請求項９】
前記第１の位相位置が０〜１８０°であり、前記第２の位相位置が１８０〜３６０°であることを特徴とする請求項５ないし６記載の電子時計のデータ送受信システム。
【請求項１０】
前記データ受信手段は第一の受信タイミングにおいては前記交流磁界の位相が９０度のタイミングと２７０度のタイミングで受信動作を行なうことを特徴とする請求項５ないし６記載の電子時計のデータ送受信システム。
【請求項１１】
第一の受信タイミングにおいて、前記一つの位相位置においてデータの受信が確認された場合には、前記同じ位相位置においてのみ以降のデータ受信を行なわせ、他の位相位置における受信動作は行なわないように構成されていることを特徴とする請求項５ないし６記載の電子時計のデータ送受信システム。
【請求項１２】
前記データ受信手段は第一の受信タイミングで前記交流磁界の位相が９０度のタイミングに前記データ送信手段からの送信データを検出すると第二以降の検出タイミングでは位相が９０度のタイミングのみ検出動作を行ない、反対に位相が２７０度のタイミングに前記データ送信手段からの送信データを検出すると第二以降の検出タイミングでは位相が２７０度のタイミングのみ検出動作を行なうことを特徴とする請求項１０記載の電子時計のデータ送受信システム。
【請求項１３】
前記タイミング信号は、間欠的に出力されることを特徴とする請求項１記載の電子時計のデータ送受信システム。
【請求項１４】
前記データ送信手段が発生するデータ信号のデータ送信周波数は前記磁気信号と同一周波数であることを特徴とする請求項５ないし６記載の電子時計のデータ送受信システム。
【請求項１５】
データ信号を発生するデータ送信手段と、電子時計のコイルを用いて前記データ送信手段からのデータ信号を受信する受信データ受信手段を有する電子時計より構成される電子時計のデータ送受信システムにおいて、前記電子時計はタイミング信号を発生するタイミング信号発生手段を有し、さらに前記データ送信手段は前記コイルより出力されるタイミング信号を受信するタイミング信号受信手段を設け、前記データ送信手段は受信したタイミング信号に同期してデータ信号を送信し、かつタイミング信号受信用の受信コイルとデータ送信用の送信コイルを有することを特徴とする電子時計の電子時計のデータ送受信システム。
【請求項１６】
前記送信コイルと前記受信コイルは環状の形態を取ると共に、その中心が同軸上に配されることを特徴とする請求項１５記載の電子時計のデータ送受信システム。
【請求項１７】
前記送信コイルは前記受信コイルに比較してリアクタンスが低いことを特徴とする請求項１５記載の電子時計のデータ送受信システム。
【請求項１８】
前記データ送信手段が前記タイミング信号を受信可能な距離が、前記データ受信手段が前記送信データを受信可能な距離に比べ短いことを特徴とする請求項１５記載の電子時計のデータ送受信システム。
【請求項１９】
前記受信手段は間欠的に発生する前記タイミング信号を少なくとも２回以上受信するとデータ送信動作を開始することを特徴とする請求項１５記載の電子時計のデータ送受信システム。
【請求項２０】
前記データ出力手段が送信するデータ信号の信号レベルは前記タイミング信号受信手段が受信した信号強度に応じて調整されることを特徴とする請求項１５記載の電子時計のデータ送受信システム。
【請求項２１】
前記電子時計は、アナログ型の電子時計であることを特徴とする請求項１ないし２０記載の電子時計のデータ送受信システム。
【請求項２２】
前記コイルは、前記電子時計における指針駆動用モータであることを特徴とする請求項１ないし２０記載の電子時計のデータ送受信システム。
【手続補正２】
【補正対象書類名】明細書
【補正対象項目名】０００６
【補正方法】変更
【補正の内容】
【０００６】
この様な場合、理想的には時計ケースにムーブメントを組み込んで、裏蓋を完全に閉めた後で周波数調整を行なうことが理想である。しかし、時計ケースにムーブメントが組み込まれた状態で電気的な接点を持つことは防水機能を損なうことや、耐ノイズ性の低下、デザインなど多くの制約を受ける。
【手続補正３】
【補正対象書類名】明細書
【補正対象項目名】０００９
【補正方法】変更
【補正の内容】
【０００９】
これらの問題に対して本出願人が、ＷＯ９４／１６３６６号公報において既に開示した手法は、指針式の時計のモーターコイルを利用し、時計に対して外部機器との間で電磁的にデータの転送を行なうことであり、時計側からのタイミング信号に基づいてデータの転送を行なうことで時計の運針には何ら影響を及ぼさない。
【手続補正４】
【補正対象書類名】明細書
【補正対象項目名】００１０
【補正方法】変更
【補正の内容】
【００１０】
【発明が解決しようとする課題】
従来例によれば、通常の時計の運針に何ら影響を与えず時計外部からデータ等を入力することができる。しかしながら時計がステップ運針する間隙に外部から磁界を与えてデータを入力する場合、必要以上に強い磁界を与えた場合、少なからず運針に影響を与えるばかりか、場合によっては外部から与えられた磁界によって指針駆動用のモータが回転させられてしまうことも考えられる。
【手続補正５】
【補正対象書類名】明細書
【補正対象項目名】００１２
【補正方法】変更
【補正の内容】
【００１２】
以上説明した従来の技術にかかる問題を解決するために本発明では、データ信号を発生するデータ送信手段と、電子時計のコイルを用いて前記データ送信手段からのデータ信号を受信する受信データ受信手段を有する電子時計より構成される電子時計のデータ受信システムにおいて、前記電子時計はタイミング信号を発生するタイミング信号発生手段を有し、さらに前記データ送信手段は前記コイルより出力されるタイミング信号を受信するタイミング信号受信手段を設け、前記データ送信手段は受信したタイミング信号に同期して
データ信号を送信し、前記データ受信手段は、前記データ送信手段から送信されるタイミングのみデータ受信を間欠的に行なうことを特徴とする。
【手続補正６】
【補正対象書類名】明細書
【補正対象項目名】００１３
【補正方法】変更
【補正の内容】
【００１３】
【発明の実施の形態】
以下、本発明の実施例を図を持って説明する。図１は本発明の全体構成を示すブロック図であり、１はデータ受信のための回路を備えた電子回路１１とモータ駆動コイル１２を備えた指針式時計、２は送受信コイル２２と送受信回路２１を備えたデータ送信手段である。ここで指針式時計１は本来駆動輪列、指針等が構成要素として含まれるが本実施例についてこれら要素は直接関与しないので図、及び説明を省略する。
【手続補正７】
【補正対象書類名】明細書
【補正対象項目名】００４７
【補正方法】変更
【補正の内容】
【００４７】
本実施例においてはデータ信号の変調を位相反転回路にて位相変調しているが図９の如く回路構成をとることで送信波形は図１５となり振幅変調のデータ転送となる。図９は図３の回路を一部変更したものであり、２１２のＡＮＤ回路を付すと共に位相反転回路２０６を省略した構成となっている。
【手続補正８】
【補正対象書類名】明細書
【補正対象項目名】００６１
【補正方法】変更
【補正の内容】
【００６１】
一方受信コイル２３とモータ駆動コイル１２の位置関係が図２２のように配置されている場合、モータ駆動コイル１２が発生する磁力線が図２３のようになり受信コイル２３にはもっとも効率よく誘起電圧が発生する。
【手続補正９】
【補正対象書類名】明細書
【補正対象項目名】００６２
【補正方法】変更
【補正の内容】
【００６２】
また同様の配置をデータ送信コイル２４とモータ駆動コイル１２でとった場合磁力線は図２４となり、データ送信手段２からの出力信号ＤＸは指針式時計１で良好に受信することができる。
【手続補正１０】
【補正対象書類名】明細書
【補正対象項目名】００６７
【補正方法】変更
【補正の内容】
【００６７】
続いて本発明の動作をさらに確実にするための実施例を図を持って説明する。
図２６は図３のデータ受信手段１に若干の改造を加えたもので、２１４はカウンタ回路で
ある。
【手続補正１１】
【補正対象書類名】明細書
【補正対象項目名】００６９
【補正方法】変更
【補正の内容】
【００６９】
本発明においては、スイッチ２１０が”Ｈ”となった後にカウンタ回路２１４を動作させ、カウンタ回路２１４が、指針式時計１から送信されるタイミング信号ＴＸを２回検出したタイミングで制御回路２０４の動作許可信号であるＥを”Ｈ”とする。以降の動作は従来例１で説明したものと同様であるのでここでは省略する。